(57)【特許請求の範囲】
【請求項１】
像担持体と、
像担持体上に形成される潜像を現像する現像装置と、
像担持体上のトナー像を転写され担持する中間転写体を含み、該中間転写体にトナー像を転写するための１次転写部材を備える１次転写手段と、
中間転写体上に転写形成したトナー像を転写材に転写するための２次転写部材を備える２次転写手段とを備える画像形成装置において、
前記１次転写部材に印加される電流は１５μＡ以上であって、該電流は定電流制御され、
前記１次転写部材は、繰り返し作像時に、１枚目作像時に印加される電流が、２枚目以降の作像時に印加される電流よりも大きくなるように制御される
ことを特徴とする画像形成装置。
【請求項２】
請求項１に記載の画像形成装置において、
前記画像形成装置は湿度６０％以下の環境条件下で使用される
ことを特徴とする画像形成装置。
【発明の詳細な説明】
【０００１】
【発明の属する技術分野】
本発明は、複写機、ファクシミリ、プリンタ等の画像形成装置に係り、詳しくは、像担持体上に形成された可視像を中間転写体に１次転写し、該中間転写体上の１次転写画像を転写材に２次転写する中間転写方式の画像形成装置に関する。
【０００２】
【従来の技術】
この発明が適用される中間転写体を用いる画像形成装置について、以下、カラー画像が形成される画像形成装置を一例として、その画像形成プロセスを説明する。
単数又は複数からなる像担持体である感光体の表面が、帯電チャージャによって、コロナ放電等の直流電界により帯電される。この感光体表面上に色分解された原稿の光学像が投影され、静電潜像が形成される。
感光体が単数である場合、この静電潜像が、感光体表面と逆極性に帯電されている第１色目のトナーで現像されて、感光体表面に第１色トナー像が形成される。形成された第１色トナー像は、感光体に当接され、かつトナーとは逆極性に帯電されている例えばベルト状の中間転写体に１次転写される。第１色トナー像の１次転写後、感光体表面に残存する第１色トナーを清掃し、感光体表面を除電する。これによって、第１色目のトナーについての現像及び１次転写ステップが終了する。このステップが、第２色目以下のトナーについても同様にして繰り返され、最終的に中間転写体上には、カラー画像を完成させるのに必要な各カラートナーについてのトナー像が順次重畳された重畳トナー像が形成される。
感光体が複数である場合、各カラートナーのトナー像は各々の感光体表面に形成される。各々の感光体表面に形成されたトナー像は、順次中間転写体に重畳されて、重畳トナー像が形成される。
この重畳トナー像が、トナーとは逆極性に帯電された転写材に２次転写されて定着処理がなされ、転写材上にカラー画像が形成される。
【０００３】
上記の中間転写体方式の画像形成装置において、１次転写部、２次転写部それぞれにおける静電転写を良好に行うために、印加する電界の大きさ等を設定しているが、環境条件の影響を受け、特に低湿環境下において、「ベタチリ」と呼ばれるベタ部のトナーが非トナー面に散った状態の異常画像の発生が問題となっている。このベタチリを低減させる対策として、特開平１０−２０６７９号公報では、環境条件に応じた１次転写バイアス電圧の補正を行う画像形成装置の提案がなされている。
【０００４】
【発明が解決しようとする課題】
しかしながら、繰り返し作像を行う場合、繰り返しの枚数が増えると安定した良好な画像が得られるが、１枚目から数枚目の画像で、ベタチリがみられるという問題点がある。特に、低湿環境下において顕著にみられる現象である。
【０００５】
そこで、本発明は上記問題点に鑑みてなされたものであり、繰り返し作像時に、環境条件によらず、ベタチリ等の異常画像を発生することのない、良質な画像を形成する画像形成装置を提供することを課題とする。
【０００６】
【課題を解決するための手段】
上記課題を解決するために、鋭意検討を行った結果、繰り返し作像時において発生するベタチリの現象は、感光体から１次転写されて中間転写体上に載った、２次転写部におけるトナーの電荷量（ｑ／Ｍ）との関係が深いことがわかった。ベタチリの現象は、転写材のトナー面側の電荷量と裏面側の電荷量との間に差が生じることにより起きる。このため、低湿環境下で湿度が低くなることで、転写材の抵抗値が高くなり、転写材のトナー面側の電荷量よりも、裏面側の電荷量の方が多くなるため、この差で生じた電界に沿って転写材上のトナーが飛散してトナーのない部分に付着する。このとき、中間転写体上のトナーの電荷量が小さいと、ベタチリの現象がより顕著になる。
【０００７】
そこで、本発明は、像担持体と、像担持体上に形成される潜像を現像する現像装置と、像担持体上のトナー像を転写され担持する中間転写体を含み、該中間転写体にトナー像を転写するための１次転写部材を備える１次転写手段と、中間転写体上に転写形成したトナー像を転写材に転写するための２次転写部材を備える２次転写手段とを備える画像形成装置において、前記１次転写部材に印加される電流は１５μＡ以上であって、該電流は定電流制御され、前記１次転写部材は、繰り返し作像時に、１枚目作像時に印加される電流が、２枚目以降の作像時に印加される電流よりも大きくなるように制御される画像形成装置とする。
繰り返し作像時に、前記１次転写手段に印加される電流を、カウントされる作像枚数に応じて制御することで、中間転写体上に転写されるトナーの電荷量を調整し、中間転写体と転写材とのニップ部（２次転写部）に生じる電界を制御する。中間転写体は完全な導電体ではないので、連続的な繰り返し作像時において先に印加される電流による電荷が、次の作像時に電流が印加されるまでに初期の状態にはならず、中間転写体に残留する。そのために、１枚目の作像時と複数枚目の作像時とでは、像担持体と中間転写体のニップ部に生じる電界が異なり、中間転写体上に１次転写されたトナーの電荷量にも差が生じる。そこで、１枚目作像時に１次転写部材に高い電流を印加することで、像担持体と中間転写体のニップ部に生じる電界を制御し、トナーの電荷量を制御する。これにより、ベタチリの発生を防止することができる。なお、中間転写体上の電荷は、中間転写体の持つ体積抵抗によって、ある電荷量以上になると電荷が乗らなくなり、飽和に達する。
【０００８】
また、環境条件、特に、湿度で表される空気中の水分の量で、中間転写体の表面抵抗率、転写材の体積抵抗率、トナーの帯電量が変化する。一方、画像形成装置は異なる種々の環境で用いられる。そこで、環境条件に応じた制御とすることで、環境条件によらず、常に安定した画像を提供することができる。
【０００９】
更に、本発明は、前記画像形成装置において、前記１次転写部材に印加される電流は、定電流制御される画像形成装置とする。印加する電荷の制御方式には、定電圧制御と定電流制御とがあるが、定電流制御により、環境条件によらず印加する電荷を制御することができる。
【００１０】
【発明の実施の形態】
以下に、本発明の実施の形態を図面に基づいて説明する。
図１は、本発明の一実施形態である画像形成装置の構成を示す概略図である。図１に示すのは、複数の像担持体である感光体ドラムが並列するタンデム型の画像形成装置であるが、本発明はこれに限るものでなく、感光体ドラムは単数であっても良い。
この画像形成装置は、上から原稿搬送部４００、スキャナ部３００、画像形成部１００、給紙部２００からなっている。また、画像形成装置内の各装置の動作を制御する図示しない制御部も備えている。
【００１１】
スキャナ部３００は、コンタクトガラス３２、原稿を読み取るための光源３３、ミラーを備える第１走行体３３、第２走行体３４、原稿から反射された光を結像させる結像レンズ３５、結像した光を読み取るためのＣＣＤを備える読み取り部３６から構成されている。
画像形成部１００は、発光素子（ＬＤ）、ｆ／θレンズ、ポリゴンミラー、ミラーから構成された露光装置２１と、ブラック（Ｂｋ）、イエロー（Ｙ）、マゼンタ（Ｍ）、シアン（Ｃ）のトナー像を形成するための像担持体としての感光体４０、帯電装置、現像装置を備える各色毎の画像形成ユニット１８、この画像形成ユニット１８に対向する位置に周回可能に支持されたベルト状の中間転写体１０を備える一次転写手段１１、一次転写手段１１に対向して設けられる転写材にトナー像を形成するための２次転写手段２２、給紙部２００から搬送される転写材の搬送のタイミングを同期させるレジストローラ４９、転写材上のトナーを溶融・固着させる定着装置２５によって構成されている。
給紙部２００は、給紙ローラ４２、フリクションパッド等を有する複数の給紙カセット４４、転写材を画像形成部１００まで搬送する搬送ローラ４７により構成されている。
【００１２】
さらに、画像形成部１００について詳述する。
図２は、本発明の画像形成装置の画像形成部１００の主要部を拡大して示す概略図である。この画像形成部１００は、３つの支持ローラ１４、１５、１６に支持された中間転写体１０と、中間転写体１０に対向するよう併設され、表面にＢｋ、Ｙ、Ｍ、Ｃのうち１色のトナー像をそれぞれ担持する４つの感光体４０Ｂｋ、４０Ｙ、４０Ｍ、４０Ｃと、感光体４０Ｂｋ、４０Ｙ、４０Ｍ、４０Ｃ表面にトナー像を形成するための現像装置６１Ｂｋ、６１Ｙ、６１Ｍ、６１Ｃとを備えている。更に、感光体４０Ｂｋ、４０Ｙ、４０Ｍ、４０Ｃ表面から一次転写後に残留しているトナーを除去する感光体クリーニング装置６３Ｂｋ、６３Ｙ、６３Ｍ、６３Ｃも備えることによってタンデム式画像形成装置２０が構成されている。
【００１３】
次に、本実施の形態の画像形成装置に用いる中間転写体について説明する。
中間転写体１０は、基層の上に弾性層、コート層を重ねた３層の構成でなるベルト状の中間転写体である。
基層は、ポリカーボネート、フツ素樹脂（ＥＴＦＥ、ＰＶＤＦ等）、ポリスチレン、クロロポリスチレン等の伸びにくい材料で構成されている。
弾性層に用いられる材料としては、弾性材ゴム、エラストマー等の弾性部材が挙げられ、具体的には、ブチルゴム、フツ素系ゴム、アクリルゴム、ＥＰＤＭ、ＮＢＲ等である。
コート層は、弾性層の表面をコーティングして、表面の平滑性を良くするものである。コート層に用いられる材料としては、一般的に、中間転写体１０表面へのトナーの付着カを小さくして２次転写性を高める材料が用いられる。例えば、ポリウレタン、ポリエステル、エポキシ樹脂、フッ素樹脂等が挙げられる。
基層、弾性層又はコート層には、必要に応じて、抵抗を調整する等の目的で、カーボンブラック、グラファイト、アルミニウムやニッケル等の金属粉末、酸化錫、酸化チタン等の導電性金属酸化物等を添加することができる。
また、以上により形成される中間転写体１０は、表面抵抗が１０６〜１０１２Ω／□、体積抵抗率が１０１０〜１０１６Ω／ｃｍのものを用いる。
【００１４】
かかる中間転写体１０には、感光体４０Ｂｋ、４０Ｙ、４０Ｍ、４０Ｃにそれぞれ形成された単色トナー像が、１次転写部材６２Ｂｋ、６２Ｙ、６２Ｍ、６２Ｃによって印加される１次転写バイアスにより、順次転写され、重畳されてカラートナー像が形成される。
本発明の画像形成装置においては、繰り返し作像時に、カウントされる作像枚数に応じて、上記１次転写部材６２Ｂｋ、６２Ｙ、６２Ｍ、６２Ｃに印加する電流を、図示しない制御部により制御し、定電流電源６４Ｂｋ、６４Ｙ、６４Ｍ、６４Ｃによって印加する。作像枚数のカウントは、画像形成装置上部に設けられた図示しない操作パネルより入力された作像枚数の値に従って、制御部にて行われる。
繰り返し作像時においては、１枚目から数枚目の画像において、ベタチリの異常画像が発生するため、一定の１次転写バイアスの印加では、作像枚数によって得られる画像の品質が異なっていた。
そこで、作像枚数によらず、常に安定した品質の画像を得るために、カウントされる作像枚数に応じて１次転写部材６２Ｂｋ、６２Ｙ、６２Ｍ、６２Ｃに印加する電流を制御するものとする。
【００１５】
具体的には、ベタチリを発生しやすい１枚目から数枚目の作像時に１次転写部材６２Ｂｋ、６２Ｙ、６２Ｍ、６２Ｃに印加する電流を、数枚目以降の作像時に印加する電流よりも大きくする。これにより、１枚目から数枚目の作像時に中間転写体１０と感光体４０Ｂｋ、４０Ｙ、４０Ｍ、４０Ｃとのニップ部に形成される電界は、従来より大きくなるため、中間転写体１０上に転写されたトナーの電荷量（ｑ／Ｍ）を大きくすることができる。その結果、中間転写体１０上のトナーは、転写材上に２次転写された後も、その電荷量を保って、非トナー面に飛散することはなくなる。
【００１６】
更に、１枚目作像時に１次転写部材６２Ｂｋ、６２Ｙ、６２Ｍ、６２Ｃに印加する電流値を制御することにより、１枚目作像時のみ２枚目以降の作像時よりも印加する電流を大きくすることで、ベタチリ低減の効果を十分に得ることができる。
これは、１枚目作像時に印加する電流が十分であれば、２枚目以降の作像の際に、１枚目作像時に印加された電流の影響で中間転写体１０に電荷が残るため、２枚目以降の作像時に印加する電流値を１枚目より小さくしても、２枚目以降の２次転写部におけるトナー飛散を防止するに十分な電荷量をトナーに供給することができるからである。
【００１７】
また、ベタチリの現象は、特に、転写材が高抵抗となる低湿環境下において顕著である。従って、温湿度の環境条件の変動に応じて、１次転写部材に印加する電流の制御を変えることが好ましい。
特に効果的であるのが、湿度６０％以下の環境条件である時に、上記１次転写部材に印加する電流の制御を変えることである。電流制御の内容は、上記と同様、
１枚目作像時に１次転写手段６２Ｂｋ、６２Ｙ、６２Ｍ、６２Ｃに印加する電流を、２枚目以降の作像時に印加する電流よりも大きくする制御である。これにより、環境条件が変動しても、安定した良質な画像を得ることができる。
【００１８】
以下に、実施例を挙げ、本発明を具体的に説明する。
初めに、本発明の画像形成装置の動作について説明する。
スキャナ部３００は、原稿搬送部４００の原稿台３０上に原稿をセットするか、又、原稿搬送部４００を開いてスキャナ部３００のコンタクトガラス３１上に原稿をセットし、原稿搬送部４００を閉じて原稿を押さえる。そして、不図示のスタートスイッチを押すと、原稿搬送部４００に原稿をセットしたときは原稿をコンタクトガラス３１上へと搬送して後、他方コンタクトガラス３１上に原稿をセットしたときは直ちに、スキャナ部３００を駆動し、第１走行体３３及び第２走行体３４を走行する。そして、第１走行体３３で光源３２から光を発射するとともに原稿面からの反射光をさらに反射して第２走行体３４に向け、第２走行体３４のミラーで反射して結像レンズ３５を通して読み取りセンサ３６に入れ、画像情報を読み取る。読み取った画像情報をこの制御部に送る。
制御部は、スキャナ部３００から受け取った画像情報に基づき、画像形成部１００の露光装置２１内に配設された図示しないレーザやＬＥＤ等を制御して感光体４０Ｂｋ、４０Ｙ、４０Ｍ、４０Ｃに向けてレーザ書き込み光Lを照射させる。この照射により、感光体４０Ｂｋ、４０Ｙ、４０Ｍ、４０Ｃの表面には静電潜像が形成される。
【００１９】
給紙部２００は、給紙カセット４４を多段に備えており、給紙ローラ４２により給紙カセット４４から転写材を繰り出し、繰り出した転写材を分離ローラ４５により分離して給紙路４６に送り出し、搬送ローラ４７で画像形成部１００の給紙路４８に転写材を搬送する。この給紙部２００以外に、手差し給紙も可能となっており、手差しのための手差しトレイ５１、手差しトレイ上の転写材を手差し給紙路５３に向けて一枚ずつ分離する分離ローラ５２も装置側面に備えている。レジストローラ４９は、それぞれ給紙カセット４４又は手差しトレイ５１に載置されている転写材を１枚だけ排出させ、中間転写体１０と２次転写手段２２との間に位置する２次転写ニップ部に送る。
【００２０】
画像形成部１００では、スキャナ部３００から画像情報を受け取ると、上述のようなレーザ書き込みや、現像プロセスを実施させて感光体４０上に潜像を形成させる。現像スリーブ６５に供給された現像剤は、現像スリーブ６５内部に有するマグネットにより汲み上げられて保持され、現像スリーブ６５上に磁気ブラシを形成する。さらに、現像スリーブ６５に印加する現像バイアス電圧により感光体４０に転移して、感光体４０上の静電潜像を可視化して、トナー像を形成する。現像バイアス電位は、感光体４０の表面電位によるが、周波数：２〜５ｋＨｚ、Ｖｐ−ｐ：６００〜１０００Ｖで、マイナス電位の方が大きいデューティ比３５〜６５：６５〜３５の交流バイアスと−４００〜−８００Ｖの直流バイアスを重畳させている。
【００２１】
次に、トナー像に応じたサイズの転写材を給紙させるべく、給紙ローラ４２の１つを作動させる。また、これに伴って、駆動モータで支持ローラ１４、１５、１６の１つを回転駆動して他の２つの支持ローラを従動回転し、中間転写体１０を回転搬送する。同時に、個々の画像形成ユニット１８でその感光体４０Ｂｋ、４０Ｙ、４０Ｍ、４０Ｃを回転して各感光体４０Ｂｋ、４０Ｙ、４０Ｍ、４０Ｃ上にそれぞれ、Ｂｋ、Ｙ、Ｍ、Ｃの単色画像を形成する。そして、中間転写体１０の搬送とともに、それらの単色画像を、１次転写部材６２Ｂｋ、６２Ｙ、６２Ｍ、６２Ｃに、それぞれ定電流電源６４Ｂｋ、６４Ｙ、６４Ｍ、６４Ｃから電流を印加して、順次転写して中間転写体１０上に合成トナー像を形成する。ここで、印加する電流は、１５μＡ以上であることが好ましく、さらに、湿度が６０％以上では、１０μＡ以上であることが好ましい。
【００２２】
一方、給紙部２００の給紙ローラ４２の１つを選択回転し、給紙カセット４４の１つから転写材を繰り出し、分離口ーラ４５で１枚ずつ分離して給紙路４６に入れ、搬送ローラ４７で画像形成部１００内の給紙路４８に導き、この転写材をレジストローラ４９に突き当てて止める。又は、給紙口ーラ５０を回転して手差しトレイ５１上の転写材を繰り出し、分離ローラ５２で１枚ずつ分離して手差し給紙路５３に入れ、同じくレジストローラ４９に突き当てて止める。
そして、中間転写体１０上の合成トナー像にタイミングを合わせてレジストローラ４９を回転し、中間転写体１０と２次転写ローラ２３との当接部である２次転写ニップ部に転写材を送り込み、ニップに形成されている２次転写用電界や当接圧力などの影響によってトナー像を２次転写して転写材上にトナー像を記録する。ここで、２次転写用バイアスは、直流電界で、＋８００Ｖ〜＋２．５ｋＶの範囲が好ましい。
画像転写後の転写材は、２次転写手段の搬送ベルト２４で定着装置２５へと送り込まれ、定着装置２５で加圧口ーラ２７による加圧カと熱の付与によりトナー像を定着させた後、排出口ーラ５６で排紙トレイ５７上に排出される。
【００２３】
（実施例１）
図１に示す画像形成装置で、温度１０℃、湿度１５％の環境下で、繰り返し作像を合計１０枚行い、作像枚数ごとに中間転写体１０のベルト電位と、ベタチリランクを評価した。
ここで、１枚目作像時の１次転写部材６２Ｂｋ、６２Ｙ、６２Ｍ、６２Ｃに印加する電流は、それぞれ３２μＡ、３５μＡ、３７μＡ、３９μＡとし、定電流制御された１次転写バイアスとして、中間転写体１０とそれぞれの感光体４０Ｂｋ、４０Ｙ、４０Ｍ、４０Ｃとのニップ部に印加した。
また、２枚目以降の作像時の１次転写部材６２Ｂｋ、６２Ｙ、６２Ｍ、６２Ｃに印加する電流は、それぞれ２２μＡ、２５μＡ、２７μＡ、２９μＡとし、定電流制御された１次転写バイアスとして、中間転写体１０とそれぞれの感光体４０Ｂｋ、４０Ｙ、４０Ｍ、４０Ｃとのニップ部に印加した。
尚、ベタチリランクとは、画像形成された転写材上のベタチリの度合いを目視でランク付けするものであり、「５」はベタチリがなく良好な画像、「４」はベタチリが少しあるが問題ない画像、「３」はベタチリがあり問題となる画像を示し、以下「２」、「１」は、それぞれベタチリの悪化のレベルを示すものである。また、それぞれのランクの中間を示す、例えば「４．５」「３．５」等のランクも設け評価を行う。上記の評価において、ベタチリランクは３．５以上であることが必須で、好ましくは４以上である。
【００２４】
（比較例１）
作像枚数によらず、１次転写部材６２Ｂｋ、６２Ｙ、６２Ｍ、６２Ｃに印加する電流を、それぞれ２２μＡ、２５μＡ、２７μＡ、２９μＡとし定電流制御された１次転写バイアスとして、中間転写体１０とそれぞれの感光体ドラム４０Ｂｋ、４０Ｙ、４０Ｍ、４０Ｃとのニップ部に印加した以外は、実施例１と同様にして、繰り返し作像を行い、作像枚数ごとに中間転写体１０のベルト電位と、ベタチリランクを評価した。
【００２５】
（比較例２）
作像枚数によらず、１次転写部材６２Ｂｋ、６２Ｙ、６２Ｍ、６２Ｃに印加する電流を、それぞれ２８μＡ、３１μＡ、３３μＡ、３５μＡとし定電流制御された１次転写バイアスとして、中間転写体１０とそれぞれの感光体ドラム４０Ｂｋ、４０Ｙ、４０Ｍ、４０Ｃとのニップ部に印加した以外は、実施例１と同様にして、繰り返し作像を行い、作像枚数ごとに中間転写体１０のベルト電位と、ベタチリランクを評価した。
【００２６】
実施例１、比較例１及び２により、以下のような結果が得られた。
図３は、作像枚数ごとのベタチリランクを示した図である。比較例１においては、１枚目のベタチリランクが３であり、問題となる画像あった。２枚目、３枚目と作像枚数が進むに従いベタチリランクが改善され、４枚目以降でベタチリランク４．５と高い値を示している。また、比較例２は、２枚目以降のベタチリランクが４．５と高い値を得ているが、１枚目はベタチリが少し観測され、その値は４であった。
一方、実施例１では、１枚目の作像からベタチリランクが４．５と高い値を示していた。すなわち、作像枚数によらず、良好な画像を得ることができた。また、環境条件は、温度１０℃、湿度１５％の低温低湿環境下であったが、ベタチリ低減の効果が十分に得られている。
【００２７】
上記の結果は、次のように理解できる。
図４は、作像枚数ごとの中間転写体１０のベルト電位を示した図である。図４において、作像枚数１枚目からベタチリランクが高い値を示した実施例１では、中間転写体ベルト電位も１枚目から絶対値で１．８ｋＶと、２枚目以降の中間転写体ベルト電位と同等のベルト電位を示している。このことから、１枚目の作像時に１次転写部材に印加する電流を制御して、２枚目以降の作像時よりも高くする電流制御を行ったことで、中間転写体１０上に転写されたトナーには十分な電荷量が付与され、中間転写体１０と転写材とのニップ部に生じる電界が制御されて、ベタチリのない画像が得られることがわかる。また、１枚目作像時に印加する電流を十分高くしたことで、２枚目以降の作像時に印加する電流値を１枚目より小さくしても、１枚目作像時の電荷が残るために中間転写体１０ベルト電位は変わらず、２枚目以降についても２次転写部におけるトナー飛散を防止するに十分な電荷量をトナーに付与できていることがわかる。
一方、比較例１では作像１枚目及び２枚目、比較例２では作像１枚目の中間転写体１０のベルト電位が、実施例１と比べて低くなっている。１枚目の作像時に１次転写部材に印加する電流を２枚目以降と比べて高くしなかったために、中間転写体１０上に転写されたトナーには十分な電荷量が付与されず、従って１枚目の作像時のベタチリランクが低くなったことがわかる。
【００２８】
【発明の効果】
以上説明してきたように、本発明により、繰り返し作像時に、１次転写手段の１次転写部材に印加する電流を、カウントされる作像枚数に応じて制御することで、像担持体と中間転写体のニップ部に生じる電界を制御し、作像枚数によらず、ベタチリの発生等のない常に安定した画像を得ることができる画像形成装置を提供することができる。
また、１枚目作像時に１次転写部材に印加する電流値を制御し、２枚目以降の作像時に印加する電流よりも大きくする制御を行うことで、ベタチリ低減の効果を十分に得ることができる。
更に、転写材が高抵抗となる低湿環境下において、１次転写部材に付与する電流の制御を上記の制御とすることで、環境条件によらず、ベタチリ等の異常画像を発生することのない、良質な画像を形成する画像形成装置を提供することができる。
【図面の簡単な説明】
【図１】本発明の一実施形態である画像形成装置の構成を示す概略図である。
【図２】画像形成部１００の主要部の拡大図である。
【図３】作像枚数ごとのベタチリランクを示した図である。
【図４】作像枚数ごとの中間転写体１０のベルト電位を示した図である。
【符号の説明】
１０  中間転写体
１１  １次転写手段
２１  露光装置
２２  ２次転写手段
２３  ２次転写ローラ
２５  定着装置
４０  感光体（像担持体）
６１  現像装置
６２  １次転写部材
１００  画像形成部
２００  給紙部
３００  スキャナ部
４００  原稿搬送部
【図１】
0004446323.tif 000002
【図２】
0004446323.tif 000003
【図３】
0004446323.tif 000004
【図４】
0004446323.tif 000005